(57)【要約】【課題】  複数のコンピュータ間でコンピュータ物件の選択及び伝送を行なう方法及び装置の提供。【解決手段】  二部以上のコンピュータ装置とネットワークインタフェースで構成されたコンピュータシステム環境中にあって、コンピュータ物品選択及び伝送ペンにより選定したソースコンピュータ装置中より少なくとも一つの伝送したいコンピュータ物件を選択し、並びにコンピュータ物件選択及び伝送ペンで選択したコンピュータ物件の識別コードを取り出す。その後、該コンピュータ物件選択及び伝送ペンを選定した目標コンピュータ装置に移動させ、該コンピュータ物件選択及び伝送ペンによりソースコンピュータ装置より選択したコンピュータ物件の物件識別コードを該目標コンピュータ装置に伝送し、更に該ネットワークインタフェースを通してソースコンピュータ装置中の物件識別コードに対応するコンピュータ物件を該目標コンピュータ装置中に伝送する。【選択図】        図１
2006004398.tif 000002
【特許請求の範囲】
【請求項１】
少なくとも二部のコンピュータ装置及び各コンピュータ装置間を接続するネットワークインタフェースで構成されたコンピュータネットワーク環境を具えた複数のコンピュータ間でコンピュータの選択及び伝送を行なう方法であり、この方法は、
（ａ）各コンピュータ装置を起動し、並びにオペレーションシステムのロードを完成した後、各コンピュータ装置の接続を構築するステップ、
（ｂ）各コンピュータ装置中に装置識別コードを設定保存するステップ、
（ｃ）コンピュータ物件選択及び伝送ペンで選定したソースコンピュータ装置より伝送したいコンピュータ物件を選択するステップ、
（ｄ）選択したコンピュータ物件に物件識別コードを賦与するステップ、
（ｅ）コンピュータ物件選択及び伝送ペンにより選択した物件の物件識別コードをピックアップするステップ、
（ｆ）コンピュータ物件選択及び伝送ペンを選定した目標コンピュータ装置に移動するステップ、
（ｇ）コンピュータ物件選択及び伝送ペンによりソースコンピュータ装置より選択したコンピュータ物件の物件識別コードを該目標コンピュータ装置に伝送するステップ、
（ｈ）該目標コンピュータ装置によりコンピュータ物件選択及び伝送ペンが伝送した物件識別コードを読み取るステップ、
（ｉ）ネットワークインタフェースを通してソースコンピュータ装置中の物件識別コードに対応するコンピュータ物件を目標コンピュータ装置中に伝送するステップ、
を具えたことを特徴とする、複数のコンピュータ間でコンピュータの選択及び伝送を行なう方法。
【請求項２】
請求項１記載の複数のコンピュータ間でコンピュータの選択及び伝送を行なう方法において、コンピュータ物件が少なくとも一つのコンピュータファイルを具えたことを特徴とする、複数のコンピュータ間でコンピュータの選択及び伝送を行なう方法。
【請求項３】
請求項１記載の複数のコンピュータ間でコンピュータの選択及び伝送を行なう方法において、コンピュータ物件が少なくとも一つのコンピュータデータクリップを具えたことを特徴とする、複数のコンピュータ間でコンピュータの選択及び伝送を行なう方法。
【請求項４】
請求項１記載の複数のコンピュータ間でコンピュータの選択及び伝送を行なう方法において、ネットワークインタフェースが有線ネットワークシステムを通して各コンピュータ装置の間を接続することを特徴とする、複数のコンピュータ間でコンピュータの選択及び伝送を行なう方法。
【請求項５】
請求項１記載の複数のコンピュータ間でコンピュータの選択及び伝送を行なう方法において、ネットワークインタフェースが無線ネットワークシステムを通して各コンピュータ装置の間を接続することを特徴とする、複数のコンピュータ間でコンピュータの選択及び伝送を行なう方法。
【請求項６】
請求項１記載の複数のコンピュータ間でコンピュータの選択及び伝送を行なう方法において、装置識別コードが各コンピュータ装置をコンピュータネットワーク環境中で識別できる唯一のネットワークアドレスとされたことを特徴とする、複数のコンピュータ間でコンピュータの選択及び伝送を行なう方法。
【請求項７】
請求項１記載の複数のコンピュータ間でコンピュータの選択及び伝送を行なう方法において、コンピュータ物件選択及び伝送ペンにペン識別コードが設定保存されたことを特徴とする、複数のコンピュータ間でコンピュータの選択及び伝送を行なう方法。
【請求項８】
請求項１記載の複数のコンピュータ間でコンピュータの選択及び伝送を行なう方法において、（ｉ）のステップの前に、ネットワークインタフェースを通してソースコンピュータ装置中の物件識別コードに対応するコンピュータ物件を目標コンピュータ装置に伝送するか否かを確認するステップを具えたことを特徴とする、複数のコンピュータ間でコンピュータの選択及び伝送を行なう方法。
【請求項９】
請求項１記載の複数のコンピュータ間でコンピュータの選択及び伝送を行なう方法において、コンピュータ装置がタッチコントロール式ディスプレイを具えたことを特徴とする、複数のコンピュータ間でコンピュータの選択及び伝送を行なう方法。
【請求項１０】
請求項１記載の複数のコンピュータ間でコンピュータの選択及び伝送を行なう方法において、コンピュータ物件選択及び伝送ペンが少なくとも一つの機能キーを具えたことを特徴とする、複数のコンピュータ間でコンピュータの選択及び伝送を行なう方法。
【請求項１１】
少なくとも二部のコンピュータ装置、少なくとも一つのサーバー、及び各コンピュータ装置間を接続するネットワークインタフェースで構成されたコンピュータネットワーク環境を具えた複数のコンピュータ間でコンピュータの選択及び伝送を行なう方法であり、この方法は、
（ａ）各コンピュータ装置とサーバーを起動し、並びに各コンピュータ装置のオペレーションシステムのロードを完成し、各コンピュータ装置とサーバー間の接続を構築するステップ、
（ｂ）各コンピュータ装置中に装置識別コードを設定保存するステップ、
（ｃ）コンピュータ物件選択及び伝送ペンで選定したソースコンピュータ装置より伝送したいコンピュータ物件を選択するステップ、
（ｄ）選択したコンピュータ物件に物件識別コードを賦与するステップ、
（ｅ）コンピュータ物件選択及び伝送ペンにより選択した物件の物件識別コードをピックアップするステップ、
（ｆ）コンピュータ物件選択及び伝送ペンを選定した目標コンピュータ装置に移動するステップ、
（ｇ）コンピュータ物件選択及び伝送ペンによりソースコンピュータ装置より選択したコンピュータ物件の物件識別コードを該目標コンピュータ装置に伝送するステップ、
（ｈ）該目標コンピュータ装置によりコンピュータ物件選択及び伝送ペンが伝送した物件識別コードを読み取るステップ、
（ｉ）物件識別コードと装置識別コードをサーバーに伝送するステップ、
（ｊ）サーバーがネットワークインタフェースを通してソースコンピュータ装置中の物件識別コードに対応するコンピュータ物件を装置識別コードに対応する目標コンピュータ装置に伝送するステップ、
を具えたことを特徴とする、複数のコンピュータ間でコンピュータの選択及び伝送を行なう方法。
【請求項１２】
請求項１１記載の複数のコンピュータ間でコンピュータの選択及び伝送を行なう方法において、コンピュータ物件が少なくとも一つのコンピュータファイルを具えたことを特徴とする、複数のコンピュータ間でコンピュータの選択及び伝送を行なう方法。
【請求項１３】
請求項１１記載の複数のコンピュータ間でコンピュータの選択及び伝送を行なう方法において、コンピュータ物件が少なくとも一つのコンピュータデータクリップを具えたことを特徴とする、複数のコンピュータ間でコンピュータの選択及び伝送を行なう方法。
【請求項１４】
請求項１１記載の複数のコンピュータ間でコンピュータの選択及び伝送を行なう方法において、ネットワークインタフェースが有線ネットワークシステムを通して各コンピュータ装置の間を接続することを特徴とする、複数のコンピュータ間でコンピュータの選択及び伝送を行なう方法。
【請求項１５】
請求項１１記載の複数のコンピュータ間でコンピュータの選択及び伝送を行なう方法において、ネットワークインタフェースが無線ネットワークシステムを通して各コンピュータ装置の間を接続することを特徴とする、複数のコンピュータ間でコンピュータの選択及び伝送を行なう方法。
【請求項１６】
請求項１１記載の複数のコンピュータ間でコンピュータの選択及び伝送を行なう方法において、装置識別コードが各コンピュータ装置をコンピュータネットワーク環境中で識別できる唯一のネットワークアドレスとされたことを特徴とする、複数のコンピュータ間でコンピュータの選択及び伝送を行なう方法。
【請求項１７】
請求項１１記載の複数のコンピュータ間でコンピュータの選択及び伝送を行なう方法において、コンピュータ物件選択及び伝送ペンにペン識別コードが設定保存されたことを特徴とする、複数のコンピュータ間でコンピュータの選択及び伝送を行なう方法。
【請求項１８】
請求項１１記載の複数のコンピュータ間でコンピュータの選択及び伝送を行なう方法において、（ｉ）のステップの前に、ネットワークインタフェースを通してソースコンピュータ装置中の物件識別コードに対応するコンピュータ物件を目標コンピュータ装置に伝送するか否かを確認するステップを具えたことを特徴とする、複数のコンピュータ間でコンピュータの選択及び伝送を行なう方法。
【請求項１９】
請求項１１記載の複数のコンピュータ間でコンピュータの選択及び伝送を行なう方法において、コンピュータ装置がタッチコントロール式ディスプレイを具えたことを特徴とする、複数のコンピュータ間でコンピュータの選択及び伝送を行なう方法。
【請求項２０】
請求項１１記載の複数のコンピュータ間でコンピュータの選択及び伝送を行なう方法において、コンピュータ物件選択及び伝送ペンが少なくとも一つの機能キーを具えたことを特徴とする、複数のコンピュータ間でコンピュータの選択及び伝送を行なう方法。
【請求項２１】
複数のコンピュータ間でコンピュータの選択及び伝送を行なう装置において、この装置は、複数のコンピュータ装置で構成されたコンピュータネットワーク環境中にあってソースコンピュータ装置より選択したコンピュータ物件を目標コンピュータ装置に伝送し、該コンピュータネットワーク環境中に少なくとも二部のコンピュータ装置と各コンピュータ装置間を接続するネットワークインタフェースを具え、この装置は、
コンピュータ物件の選択及び伝送を制御するマイクロプロセッサと、
該マイクロプロセッサに接続されてコンピュータ物件選択及び伝送ペンのペン識別コードを保存するペン識別コード保存ユニットと、
該マイクロプロセッサに接続されてコンピュータ物件選択及び伝送ペンがソースコンピュータのコンピュータ物件を選択する時にコンピュータ物件識別用に賦与される物件識別コードを保存する物件識別コード保存ユニットと、
該マイクロプロセッサに接続されて各コンピュータ装置の装置識別コードを保存する装置識別コード保存ユニットと、
該マイクロプロセッサに接続されて該マイクロプロセッサの制御の下で、ソースコンピュータ装置より選択した物件識別コードと装置識別コードを受け取り、及び、該物件識別コード、ペン識別コード、及び装置識別コードを目標コンピュータ装置に伝送可能である、信号伝送／受信ユニットと、
を具えたことを特徴とする、複数のコンピュータ間でコンピュータの選択及び伝送を行なう装置。
【請求項２２】
請求項２１記載の複数のコンピュータ間でコンピュータの選択及び伝送を行なう装置において、ネットワークインタフェースが有線ネットワークシステムを通して各コンピュータ装置を接続することを特徴とする、複数のコンピュータ間でコンピュータの選択及び伝送を行なう装置。
【請求項２３】
請求項２１記載の複数のコンピュータ間でコンピュータの選択及び伝送を行なう装置において、ネットワークインタフェースが無線ネットワークシステムを通して各コンピュータ装置を接続することを特徴とする、複数のコンピュータ間でコンピュータの選択及び伝送を行なう装置。
【請求項２４】
請求項２１記載の複数のコンピュータ間でコンピュータの選択及び伝送を行なう装置において、コンピュータネットワーク環境中にサーバーが接続されたことを特徴とする、複数のコンピュータ間でコンピュータの選択及び伝送を行なう装置。
【請求項２５】
請求項２１記載の複数のコンピュータ間でコンピュータの選択及び伝送を行なう装置において、コンピュータ装置がタッチコントロールディスプレイを具えたことを特徴とする、複数のコンピュータ間でコンピュータの選択及び伝送を行なう装置。
【請求項２６】
請求項２１記載の複数のコンピュータ間でコンピュータの選択及び伝送を行なう装置において、コンピュータ物件選択及び伝送ペンがマイクロプロセッサに接続された少なくとも一つの機能キーを具えたことを特徴とする、複数のコンピュータ間でコンピュータの選択及び伝送を行なう装置。
【発明の詳細な説明】
【技術分野】
【０００１】
本発明は一種のコンピュータ物件の選択及び伝送の技術に係り、特に、複数のコンピュータ間でコンピュータの選択及び伝送を行なう方法及び装置に関する。
【背景技術】
【０００２】
コンピュータテクノロジーの領域において、ハードウエアテクノロジー及びソフトウエア機能の向上のほか、如何にコンピュータを使いやすくするかが業者の研究開発の目標となっている。大部分のコンピュータユーザーは詳しいコンピュータ知識を有しているわけではなく、コンピュータ命令に対して習熟していない。ゆえに、もし最も記憶しやすいか或いは簡便な使用の方式によりコンピュータを操作できれば、大部分のコンピュータユーザーにとって非常に大きな助けとなる。
【０００３】
大部分のユーザーのコンピュータ操作に対する要求に符合するよう、現在商用のコンピュータオペレーションシステム設計のほとんどは非常に良好な操作親和性を有している。例えば、現在広く使用されているマイクロソフト社のウインドウス（登録商標）オペレーションシステムの設計によると、ユーザーは簡単なドラッグによりファイル或いはデータクリップを移動させることができる。その操作方式は移動したいファイル或いはデータクリップを選択し、その後、選択したファイル或いはデータクリップの目的位置までドラッグする、というものである。
【０００４】
このほか、ドラッグによるファイル或いはデータクリップの移動の方式のほか、クリックロックの方式も可能で、移動が更に容易に行なえ、ユーザーが文字を選択したり或いはファイルをドラッグする時、ずっとマウスを握っていなくても、ファイル或いはデータクリップをドラッグする機能を達成できる。
【発明の開示】
【発明が解決しようとする課題】
【０００５】
前述の従来の技術にあって、ウインドウス（登録商標）オペレーションシステム中のドラッグ或いはクリックロックの方式によりファイル或いはデータクリップの移動或いは複製を行なう技巧は、伝統的な命令方式よりも遥かに敏捷であるが、一機中での応用に限られ、同じ方式を二台以上のコンピュータのファイル或いはデータクリップの移動或いは複製に応用することはできない。例えば、複数の人が同時に複数のコンピュータを使用する場合、誰も前述のドラッグ或いはクリックロックの方式によって異なるコンピュータ間でファイル或いはデータクリップの管理を行なうことはできない。
【０００６】
二部以上のコンピュータのファイル或いはデータクリップを複製操作する時、現在の方法によると、各コンピュータ間にあって接続線或いはネットワーク線で実体の接続を形成し、その後、各コンピュータ中で接続プログラムを実行し同じ通信協定を設定保存し、各コンピュータの間に接続を構築し、これにより二台以上のコンピュータ間のネットワーク接続の方式でファイル或いはデータクリップをもう一台のコンピュータに複製或いは移動することができる。
【０００７】
赤外線接続機能を具えたコンピュータシステムにあっては、前述のドラッグの技巧を採用し、ファイルを赤外線接続装置にドラッグする機能を達成できる。但し操作時に、コンピュータ装置と近隣装置の赤外線送受信器を相互に有効な伝統距離内に置く必要があり、且つ相互に位置を合わせることで、赤外線接続を構築し、その後、一つ或いは複数のファイルを選択し、並びにすでに選択したファイルをディスプレイテーブル上の赤外線接続を示す装置図面中にドラッグする。
【０００８】
上述の従来の技術中、いずれも良好な操作親和性を有しているが、実際にはそのファイルの管理は古い思惟形式を超えていない。ユーザーの観点から言うと、特にコンピュータ操作或いはコンピュータ命令に詳しくない一般のユーザーにとっては、実際の物品の移送或いは管理の概念を以てコンピュータデータの移送或いは管理が行なえれば、更に実用的となり、且つコンピュータの応用場面でも役立つ。
【０００９】
このため、本発明の主要な目的は、一種の複数のコンピュータ間でコンピュータの選択及び伝送を行なう方法を提供することにある。それは、実体伝送の概念により異なるコンピュータ間のコンピュータ物件選択及び伝送を完成する。ユーザーが操作する時、実体的にコンピュータスクリーン上で伝送したいコンピュータ物件（例えばコンピュータファイル或いはデータクリップ）を選択し、その後、実際空間の伝送を行ない、選択したコンピュータ物件を別の目標コンピュータ中に移送する。
【００１０】
本発明の別の目的は、複数のコンピュータで構成されたコンピュータネットワーク環境中で選択したコンピュータ物件を目標コンピュータ装置に伝送する方法を提供することにあり、それは、直接物件を伝送する操作方式及びコンピュータネットワークの実質データ伝送によりコンピュータデータの伝送及び管理を完成し、これにより一般のユーザーがコンピュータを学習或いは実際に使用する時に使いやすい方法であるものとする。
【００１１】
本発明の別の目的は、コンピュータ物件の選択及び伝送の装置を提供することにあり、それは、随意移動可能なコンピュータ物件の選択及び伝送のペンにより、簡単快速にコンピュータデータの伝送及び管理の機能を完成できる装置であるものとする。
【００１２】
本発明は少なくとも二部以上のコンピュータ装置及び一つのネットワークインタフェースで構成されたコンピュータシステム環境中にあって、コンピュータ物品選択及び伝送ペンにより選定したソースコンピュータ装置中より少なくとも一つの伝送したいコンピュータ物件を選択し、並びにコンピュータ物件選択及び伝送ペンで選択したコンピュータ物件の識別コードを取り出す。その後、該コンピュータ物件選択及び伝送ペンを選定した目標コンピュータ装置に移動させ、該コンピュータ物件選択及び伝送ペンによりソースコンピュータ装置より選択したコンピュータ物件の物件識別コードを該目標コンピュータ装置に伝送し、更に該ネットワークインタフェースを通してソースコンピュータ装置中の物件識別コードに対応するコンピュータ物件を該目標コンピュータ装置中に伝送する。
【００１３】
好ましい実施例では、該ネットワークインタフェースは有線ネットワークシステム或いは無線ネットワークシステムを通して各コンピュータ装置間を接続する。該コンピュータシステム環境中には更にサーバーを包含しうる。該コンピュータ物件はコンピュータファイル、データクリップ或いはその他の移動、複製或いは管理可能なコンピュータ物件とされうる。
【課題を解決するための手段】
【００１４】
請求項１の発明は、少なくとも二部のコンピュータ装置及び各コンピュータ装置間を接続するネットワークインタフェースで構成されたコンピュータネットワーク環境を具えた複数のコンピュータ間でコンピュータの選択及び伝送を行なう方法であり、この方法は、  （ａ）各コンピュータ装置を起動し、並びにオペレーションシステムのロードを完成した後、各コンピュータ装置の接続を構築するステップ、
（ｂ）各コンピュータ装置中に装置識別コードを設定保存するステップ、
（ｃ）コンピュータ物件選択及び伝送ペンで選定したソースコンピュータ装置より伝送したいコンピュータ物件を選択するステップ、
（ｄ）選択したコンピュータ物件に物件識別コードを賦与するステップ、
（ｅ）コンピュータ物件選択及び伝送ペンにより選択した物件の物件識別コードをピックアップするステップ、
（ｆ）コンピュータ物件選択及び伝送ペンを選定した目標コンピュータ装置に移動するステップ、
（ｇ）コンピュータ物件選択及び伝送ペンによりソースコンピュータ装置より選択したコンピュータ物件の物件識別コードを該目標コンピュータ装置に伝送するステップ、
（ｈ）該目標コンピュータ装置によりコンピュータ物件選択及び伝送ペンが伝送した物件識別コードを読み取るステップ、
（ｉ）ネットワークインタフェースを通してソースコンピュータ装置中の物件識別コードに対応するコンピュータ物件を目標コンピュータ装置中に伝送するステップ、
を具えたことを特徴とする、複数のコンピュータ間でコンピュータの選択及び伝送を行なう方法としている。
請求項２の発明は、請求項１記載の複数のコンピュータ間でコンピュータの選択及び伝送を行なう方法において、コンピュータ物件が少なくとも一つのコンピュータファイルを具えたことを特徴とする、複数のコンピュータ間でコンピュータの選択及び伝送を行なう方法としている。
請求項３の発明は、請求項１記載の複数のコンピュータ間でコンピュータの選択及び伝送を行なう方法において、コンピュータ物件が少なくとも一つのコンピュータデータクリップを具えたことを特徴とする、複数のコンピュータ間でコンピュータの選択及び伝送を行なう方法としている。
請求項４の発明は、請求項１記載の複数のコンピュータ間でコンピュータの選択及び伝送を行なう方法において、ネットワークインタフェースが有線ネットワークシステムを通して各コンピュータ装置の間を接続することを特徴とする、複数のコンピュータ間でコンピュータの選択及び伝送を行なう方法としている。
請求項５の発明は、請求項１記載の複数のコンピュータ間でコンピュータの選択及び伝送を行なう方法において、ネットワークインタフェースが無線ネットワークシステムを通して各コンピュータ装置の間を接続することを特徴とする、複数のコンピュータ間でコンピュータの選択及び伝送を行なう方法としている。
請求項６の発明は、請求項１記載の複数のコンピュータ間でコンピュータの選択及び伝送を行なう方法において、装置識別コードが各コンピュータ装置をコンピュータネットワーク環境中で識別できる唯一のネットワークアドレスとされたことを特徴とする、複数のコンピュータ間でコンピュータの選択及び伝送を行なう方法としている。
請求項７の発明は、請求項１記載の複数のコンピュータ間でコンピュータの選択及び伝送を行なう方法において、コンピュータ物件選択及び伝送ペンにペン識別コードが設定保存されたことを特徴とする、複数のコンピュータ間でコンピュータの選択及び伝送を行なう方法としている。
請求項８の発明は、請求項１記載の複数のコンピュータ間でコンピュータの選択及び伝送を行なう方法において、（ｉ）のステップの前に、ネットワークインタフェースを通してソースコンピュータ装置中の物件識別コードに対応するコンピュータ物件を目標コンピュータ装置に伝送するか否かを確認するステップを具えたことを特徴とする、複数のコンピュータ間でコンピュータの選択及び伝送を行なう方法としている。
請求項９の発明は、請求項１記載の複数のコンピュータ間でコンピュータの選択及び伝送を行なう方法において、コンピュータ装置がタッチコントロール式ディスプレイを具えたことを特徴とする、複数のコンピュータ間でコンピュータの選択及び伝送を行なう方法としている。
請求項１０の発明は、請求項１記載の複数のコンピュータ間でコンピュータの選択及び伝送を行なう方法において、コンピュータ物件選択及び伝送ペンが少なくとも一つの機能キーを具えたことを特徴とする、複数のコンピュータ間でコンピュータの選択及び伝送を行なう方法としている。
請求項１１の発明は、少なくとも二部のコンピュータ装置、少なくとも一つのサーバー、及び各コンピュータ装置間を接続するネットワークインタフェースで構成されたコンピュータネットワーク環境を具えた複数のコンピュータ間でコンピュータの選択及び伝送を行なう方法であり、この方法は、
（ａ）各コンピュータ装置とサーバーを起動し、並びに各コンピュータ装置のオペレーションシステムのロードを完成し、各コンピュータ装置とサーバー間の接続を構築するステップ、
（ｂ）各コンピュータ装置中に装置識別コードを設定保存するステップ、
（ｃ）コンピュータ物件選択及び伝送ペンで選定したソースコンピュータ装置より伝送したいコンピュータ物件を選択するステップ、
（ｄ）選択したコンピュータ物件に物件識別コードを賦与するステップ、
（ｅ）コンピュータ物件選択及び伝送ペンにより選択した物件の物件識別コードをピックアップするステップ、
（ｆ）コンピュータ物件選択及び伝送ペンを選定した目標コンピュータ装置に移動するステップ、
（ｇ）コンピュータ物件選択及び伝送ペンによりソースコンピュータ装置より選択したコンピュータ物件の物件識別コードを該目標コンピュータ装置に伝送するステップ、
（ｈ）該目標コンピュータ装置によりコンピュータ物件選択及び伝送ペンが伝送した物件識別コードを読み取るステップ、
（ｉ）物件識別コードと装置識別コードをサーバーに伝送するステップ、
（ｊ）サーバーがネットワークインタフェースを通してソースコンピュータ装置中の物件識別コードに対応するコンピュータ物件を装置識別コードに対応する目標コンピュータ装置に伝送するステップ、
を具えたことを特徴とする、複数のコンピュータ間でコンピュータの選択及び伝送を行なう方法としている。
請求項１２の発明は、請求項１１記載の複数のコンピュータ間でコンピュータの選択及び伝送を行なう方法において、コンピュータ物件が少なくとも一つのコンピュータファイルを具えたことを特徴とする、複数のコンピュータ間でコンピュータの選択及び伝送を行なう方法としている。
請求項１３の発明は、請求項１１記載の複数のコンピュータ間でコンピュータの選択及び伝送を行なう方法において、コンピュータ物件が少なくとも一つのコンピュータデータクリップを具えたことを特徴とする、複数のコンピュータ間でコンピュータの選択及び伝送を行なう方法としている。
請求項１４の発明は、請求項１１記載の複数のコンピュータ間でコンピュータの選択及び伝送を行なう方法において、ネットワークインタフェースが有線ネットワークシステムを通して各コンピュータ装置の間を接続することを特徴とする、複数のコンピュータ間でコンピュータの選択及び伝送を行なう方法としている。
請求項１５の発明は、請求項１１記載の複数のコンピュータ間でコンピュータの選択及び伝送を行なう方法において、ネットワークインタフェースが無線ネットワークシステムを通して各コンピュータ装置の間を接続することを特徴とする、複数のコンピュータ間でコンピュータの選択及び伝送を行なう方法としている。
請求項１６の発明は、請求項１１記載の複数のコンピュータ間でコンピュータの選択及び伝送を行なう方法において、装置識別コードが各コンピュータ装置をコンピュータネットワーク環境中で識別できる唯一のネットワークアドレスとされたことを特徴とする、複数のコンピュータ間でコンピュータの選択及び伝送を行なう方法としている。
請求項１７の発明は、請求項１１記載の複数のコンピュータ間でコンピュータの選択及び伝送を行なう方法において、コンピュータ物件選択及び伝送ペンにペン識別コードが設定保存されたことを特徴とする、複数のコンピュータ間でコンピュータの選択及び伝送を行なう方法としている。
請求項１８の発明は、請求項１１記載の複数のコンピュータ間でコンピュータの選択及び伝送を行なう方法において、（ｉ）のステップの前に、ネットワークインタフェースを通してソースコンピュータ装置中の物件識別コードに対応するコンピュータ物件を目標コンピュータ装置に伝送するか否かを確認するステップを具えたことを特徴とする、複数のコンピュータ間でコンピュータの選択及び伝送を行なう方法としている。
請求項１９の発明は、請求項１１記載の複数のコンピュータ間でコンピュータの選択及び伝送を行なう方法において、コンピュータ装置がタッチコントロール式ディスプレイを具えたことを特徴とする、複数のコンピュータ間でコンピュータの選択及び伝送を行なう方法としている。
請求項２０の発明は、請求項１１記載の複数のコンピュータ間でコンピュータの選択及び伝送を行なう方法において、コンピュータ物件選択及び伝送ペンが少なくとも一つの機能キーを具えたことを特徴とする、複数のコンピュータ間でコンピュータの選択及び伝送を行なう方法としている。
請求項２１の発明は、複数のコンピュータ間でコンピュータの選択及び伝送を行なう装置において、この装置は、複数のコンピュータ装置で構成されたコンピュータネットワーク環境中にあってソースコンピュータ装置より選択したコンピュータ物件を目標コンピュータ装置に伝送し、該コンピュータネットワーク環境中に少なくとも二部のコンピュータ装置と各コンピュータ装置間を接続するネットワークインタフェースを具え、この装置は、
コンピュータ物件の選択及び伝送を制御するマイクロプロセッサと、
該マイクロプロセッサに接続されてコンピュータ物件選択及び伝送ペンのペン識別コードを保存するペン識別コード保存ユニットと、
該マイクロプロセッサに接続されてコンピュータ物件選択及び伝送ペンがソースコンピュータのコンピュータ物件を選択する時にコンピュータ物件識別用に賦与される物件識別コードを保存する物件識別コード保存ユニットと、
該マイクロプロセッサに接続されて各コンピュータ装置の装置識別コードを保存する装置識別コード保存ユニットと、
該マイクロプロセッサに接続されて該マイクロプロセッサの制御の下で、ソースコンピュータ装置より選択した物件識別コードと装置識別コードを受け取り、及び、該物件識別コード、ペン識別コード、及び装置識別コードを目標コンピュータ装置に伝送可能である、信号伝送／受信ユニットと、
を具えたことを特徴とする、複数のコンピュータ間でコンピュータの選択及び伝送を行なう装置としている。
請求項２２の発明は、請求項２１記載の複数のコンピュータ間でコンピュータの選択及び伝送を行なう装置において、ネットワークインタフェースが有線ネットワークシステムを通して各コンピュータ装置を接続することを特徴とする、複数のコンピュータ間でコンピュータの選択及び伝送を行なう装置としている。
請求項２３の発明は、請求項２１記載の複数のコンピュータ間でコンピュータの選択及び伝送を行なう装置において、ネットワークインタフェースが無線ネットワークシステムを通して各コンピュータ装置を接続することを特徴とする、複数のコンピュータ間でコンピュータの選択及び伝送を行なう装置としている。
請求項２４の発明は、請求項２１記載の複数のコンピュータ間でコンピュータの選択及び伝送を行なう装置において、コンピュータネットワーク環境中にサーバーが接続されたことを特徴とする、複数のコンピュータ間でコンピュータの選択及び伝送を行なう装置としている。
請求項２５の発明は、請求項２１記載の複数のコンピュータ間でコンピュータの選択及び伝送を行なう装置において、コンピュータ装置がタッチコントロールディスプレイを具えたことを特徴とする、複数のコンピュータ間でコンピュータの選択及び伝送を行なう装置としている。
請求項２６の発明は、請求項２１記載の複数のコンピュータ間でコンピュータの選択及び伝送を行なう装置において、コンピュータ物件選択及び伝送ペンがマイクロプロセッサに接続された少なくとも一つの機能キーを具えたことを特徴とする、複数のコンピュータ間でコンピュータの選択及び伝送を行なう装置としている。
【発明の効果】
【００１５】
周知の技術と比較すると、本発明は伝統的なコンピュータの技能操作野概念を超え、実体物件の概念によりコンピュータデータの管理を実現し、一般のコンピュータユーザーがコンピュータを操作するのに、実体と同様にコンピュータスクリーン上で伝送したいコンピュータ物件（例えばコンピュータファイル或いはデータクリップ）を選択し、その後、実際空間の伝送を以て、選択したコンピュータ物件を別の目標コンピュータ中に移動させることができ、こうして簡単な方式でコンピュータデータの伝送と管理が行なえ、且つデータの伝送と管理の過程中に、操作者はソースコンピュータと目標コンピュータの対象を確信でき、エラーの発生がない。本発明の操作モードは一般のユーザーがコンピュータを学習或いは実際に使用する時の実際に即したモードである。
【発明を実施するための最良の形態】
【００１６】
図１は本発明の少なくとも二部のコンピュータ装置がネットワークインタフェースを通して構成するコンピュータネットワーク環境のシステム接続表示図である。そのうち二部のコンピュータ装置１、２はそれぞれディスプレイ１１、２１を具え、二部のコンピュータ装置１、２がネットワークインタフェース３を通してコンピュータネットワーク環境を構成している。
【００１７】
該二部のコンピュータ装置１、２の構成するコンピュータネットワーク環境中にあって、少なくとも一つのコンピュータ物件選択及び伝送ペン４が配置されている。該コンピュータ物件選択及び伝送ペン４は第１部のコンピュータ装置１のディスプレイ１１或いは第２部のコンピュータ装置２のディスプレイ２１の近くに移動可能で、これにより二部のコンピュータ装置間のコンピュータ物件の伝送を行なう。
【００１８】
該コンピュータネットワーク環境中の各一部のコンピュータ装置１、２はいずれも装置識別コード（Ｄｅｖｉｃｅ  ＩＤ）を具え、例えばそれは各コンピュータ装置をコンピュータネットワーク環境中で識別できる唯一のネットワークアドレスとされうる。該コンピュータ物件選択及び伝送ペン４には予めペン識別コード（Ｐｅｎ  ＩＤ）が設けられ、コンピュータネットワーク環境中のコンピュータ装置が該コンピュータ物件選択及び伝送ペン４を識別できるものとされている。
【００１９】
前述のコンピュータ物件はコンピュータファイル或いはデータクリップとされ、そのいわゆる伝送とは、一般のコンピュータ操作中のデータの複製及びデータの移動の動作を包含する。
【００２０】
該コンピュータ物件選択及び伝送ペン４の前端には圧接操作を受けるクリックキー４１が設けられ、コンピュータ物件クリックの操作機能を有する。該コンピュータ物件選択及び伝送ペン４の前端のクリックキー４１は圧接操作を受けるキー構造とされるほか、周知の技術中の電磁誘導方式でコンピュータスクリーンのコンピュータ物件クリックの機能を達成するものとされうる。
【００２１】
該コンピュータ物件選択及び伝送ペン４の前端はまた単なる尖端の構造とされ得て、それは周知のタッチコントロール式スクリーン（例えば現在のタブレットＰＣに使用されているタッチコントロール式スクリーン技術）と組み合わされて、同様にコンピュータ物件のクリックの目的を達成する。本発明の最良の実施例では、コンピュータ装置にはタッチコントロール式のスクリーンが配置されている。
【００２２】
該コンピュータ物件選択及び伝送ペン４の適当な位置には機能キー４２（例えば確認キー或いはその他のユーザーがプログラム可能な機能キー）が配置され、使用者が押圧する時に所定の機能を実行する。
【００２３】
図１中に示されるネットワークインタフェース３は数種類の実施例で実施可能である。例えば、図２に示されるのは図１中のネットワークインタフェースの第１実施例であり、それは二部のコンピュータ装置１、２が有線式ネットワークインタフェースを通して構成するコンピュータネットワーク環境を示す。この実施例中、該二部のコンピュータ装置１、２中に有線式ネットワークインタフェース３１、３２が取り付けられ、並びに接続線３３で接続され、基本のコンピュータネットワーク環境を構成している。
【００２４】
該二台のコンピュータ装置１、２の間のネットワークインタフェースは有線ネットワークインタフェースとされ得るほか、無線ネットワークインタフェースとされ得る。図３は図１中のネットワークインタフェースの第２実施例を示し、それは二部のコンピュータ装置１、２が無線式ネットワークインタフェースを通して構成する無線式のコンピュータネットワーク環境を示す。この実施例では、二部のコンピュータ装置１、２中にそれぞれ無線式ネットワークインタフェース３４、３５が取り付けられている。二部のコンピュータ装置１、２の間は該無線ネットワークインタフェース３４と無線ネットワークインタフェース３５により無線方式で接続を実行できる。
【００２５】
図４は本発明中に使用されているコンピュータ物件選択及び伝送ペン４の回路機能ブロック図である。該コンピュータ物件選択及び伝送ペン４中には、マイクロプロセッサ４０があり、それは電池４３により電力を供給される。タイムベース信号発生ユニット４４はタイムベース信号を発生して該マイクロプロセッサ４０に送る。ＲＯＭ４５が該マイクロプロセッサ４０に接続されて該コンピュータ物件選択及び伝送ペン４の制御プログラムの保存とコンピュータとの間の信号伝送／受信の通信協定制御制御プログラムを構築するのに用いられる。ＲＡＭ４６がマイクロプロセッサ４０に接続されて該コンピュータ物件選択及び伝送ペン４がクリック、信号伝送／受信を行なう時のプログラムレジストデータを保存するのに用いられる。
【００２６】
該マイクロプロセッサ４０にペン識別コード保存ユニット４７１、物件識別コード保存ユニット４７２、装置識別コード保存ユニット４７３が接続されて、それぞれペン識別コードＰＥＮ ＩＤ（Ｐｅｎ  ＩＤ）、物件識別コードＯＢＪ ＩＤ（Ｏｂｊｅｃｔ  ＩＤ）、装置識別コードＤＥＶ ＩＤ（Ｔａｒｇｅｔ  Ｄｅｖｉｃｅ  ＩＤ）を保存するのに用いられる。
【００２７】
該マイクロプロセッサ４０はまた信号伝送／受信ユニット４８に接続され、該マイクロプロセッサ４０の制御の下で、該信号伝送／受信ユニット４８がソースコンピュータより選択された物件識別コードＯＢＪ ＩＤ及び装置識別コードＤＥＶ ＩＤを受け取り、また物件識別コードＯＢＪ ＩＤ、ペン識別コードＰＥＮ ＩＤ、及び装置識別コードＤＥＶ ＩＤを目標コンピュータ装置に伝送する。
【００２８】
図５は本発明の操作フローチャートである。図１及び図４も共に参照されたい。本発明の操作は以下のとおりである。
【００２９】
先ず、各コンピュータ装置を起動し並びにオペレーションシステムのロードを完成（ステップ１０１）した後、各コンピュータ装置１、２の接続構築（ステップ１０２）作業を行なう。その後、各コンピュータ装置１、２中に予め装置識別コードＤＥＶ ＩＤを設定保存し、各コンピュータ物件選択及び伝送ペンに予めペン識別コードＰＥＮ ＩＤを設定保存（ステップ１０３）する。予め設定保存された装置識別コードＤＥＶ ＩＤ及びペン識別コードＰＥＮ ＩＤはそれぞれコンピュータ物件選択及び伝送ペン４の装置識別コード保存ユニット４７３とペン識別コード保存ユニット４７１中に保存する。
【００３０】
操作者がコンピュータ物件選択及び伝送ペン４で選定したソースコンピュータ装置１のディスプレイ１１上で伝送したいコンピュータ物件を選択（ステップ１０４）の後、選択されたコンピュータ物件はソースコンピュータ装置１により物件識別コードＯＢＪ ＩＤを賦与（ステップ１０５）される。その後、コンピュータ物件選択及び伝送ペン４が信号伝送／受信ユニット４８を通してこの選択されたコンピュータ物件の物件識別コードＯＢＪ ＩＤを物件識別コード保存ユニット４７２中にピックアップ（ステップ１０６）する。
【００３１】
このとき、ユーザーはコンピュータ物件選択及び伝送ペン４を実際に移動する方式でこのコンピュータネットワーク環境中の目標コンピュータ装置とする任意のその他のコンピュータ装置に移動させる（ステップ１０７）。その後、該コンピュータ物件選択及び伝送ペン４により先にソースコンピュータ装置１より選択したコンピュータ物件の物件識別コードＯＢＪ ＩＤをコンピュータ物件選択及び伝送ペン４のペン識別コードＰＥＮ ＩＤと共に該目標コンピュータ装置２に伝送する（ステップ１０８）。
【００３２】
該目標コンピュータ装置２が該コンピュータ物件選択及び伝送ペン４の伝送したペン識別コードを受け取りコンピュータ物件選択及び伝送ペンを認識した後、ネットワークインタフェース３を通してソースコンピュータ装置中の物件識別コードに対応するコンピュータ物件をサーチ（ステップ１０９）し、並びに確認ステップの後、そのコンピュータ物件であるか否かを確定し、物件の伝送を行なうか否かを確認（ステップ１１０）する。エラー無しと確認した後、ネットワークインタフェース３を通してソースコンピュータ装置１中の物件識別コードに対応するコンピュータ物件を該目標コンピュータ装置２中に伝送する（ステップ１１１）。
【００３３】
図６は該ペン識別コードＰＥＮ ＩＤ、物件識別コードＯＢＪ ＩＤ及び装置識別コードＤＥＶ ＩＤの三者間の管理表である。該管理表中には、少なくとも一つのコンピュータ物件選択及び伝送ペンのペン識別コードＰＥＮ ＩＤ（例えばＰ１及びＰ２）、少なくとも一つの選択されたコンピュータ物件（例えばファイル名がＦｉｌｅ１．ｔｘｔ及びＦｉｌｅ２．ｔｘｔの物件）、及び目標コンピュータ装置の識別位置（例えば１０．１６８．１．２及び１０．１６８．１．２１）を包含する。該管理表を通して、正確にソースコンピュータ装置と目標コンピュータ装置間のデータ伝送作業を行なうことができる。
【００３４】
サーバーが配置されたネットワーク構造にあっては、目標コンピュータ装置２がコンピュータ物件選択及び伝送ペン４の伝送した物件識別コードＯＢＪ ＩＤ及びペン識別コードＰＥＮ ＩＤを読み取った後、サーバーを通してソースコンピュータ装置と目標コンピュータ装置の間のデータ伝送を行なう。
【００３５】
図７は図１中のネットワークインタフェースの第３実施例を示す。二部のコンピュータ装置１、２は有線式ネットワークインタフェースを通してサーバーとコンピュータネットワーク環境を構成している。この実施例中、二部のコンピュータ装置１、２中にはそれぞれ有線式ネットワークインタフェース３１、３２が設けられ、並びに接続線３６、３７でサーバー５に接続されたネットワークインタフェース５１と接続されている。サーバー５はディスプレイ５２を具え、それはタッチコントロール式ディスプレイとされる。ゆえに二部のコンピュータ装置１、２とサーバー５の間は有線式ネットワークインタフェース３１、３２、５１により接続可能である。
【００３６】
図８は図１中のネットワークインタフェースの第４実施例を示す。この実施例では二部のコンピュータ装置１、２が無線式ネットワークインタフェースを通してサーバーとコンピュータネットワーク環境を構成している。二部のコンピュータ装置１、２には無線式ネットワークインタフェース３４、３５が取り付けられている。ディスプレイ５２を具えたサーバー５にも無線式ネットワークインタフェース５３が取り付けられている。ゆえに、二部のコンピュータ装置１、２とサーバー５の間は該無線ネットワークインタフェース３４、３５、５３により無線方式で接続可能である。
【００３７】
図７及び図８に示されるサーバーを具えたコンピュータネットワーク環境にあって、その操作方式は図５のフローチャートに類似する。但し一部の作業はサーバーにより完成する。図９は本発明のサーバーが組み合わされたコンピュータネットワーク環境の操作フローチャートである。図１、図４、図６、図７、図８も参照されたい。本発明のこの実施例について以下に説明する。
【００３８】
先ず、各コンピュータ装置を起動し並びにオペレーションシステムのロードを完成（ステップ２０１）した後、各コンピュータ装置１、２とサーバー５の接続構築（ステップ２０２）作業を行なう。その後、各コンピュータ装置１、２中に予め装置識別コードＤＥＶ ＩＤを設定保存し、各コンピュータ物件選択及び伝送ペンに予めペン識別コードＰＥＮ ＩＤを設定保存（ステップ２０３）する。予め設定保存された装置識別コードＤＥＶ ＩＤ及びペン識別コードＰＥＮ ＩＤはそれぞれコンピュータ物件選択及び伝送ペン４の装置識別コード保存ユニット４７３とペン識別コード保存ユニット４７１中に保存する。
【００３９】
操作者がコンピュータ物件選択及び伝送ペン４で選定したソースコンピュータ装置１のディスプレイ１１上で伝送したいコンピュータ物件を選択（ステップ２０４）の後、選択されたコンピュータ物件はソースコンピュータ装置１により物件識別コードＯＢＪ ＩＤを賦与（ステップ２０５）される。その後、コンピュータ物件選択及び伝送ペン４が信号伝送／受信ユニット４８を通してこの選択されたコンピュータ物件の物件識別コードＯＢＪ ＩＤを物件識別コード保存ユニット４７２中にピックアップ（ステップ２０６）する。
【００４０】
このとき、ユーザーはコンピュータ物件選択及び伝送ペン４を実際に移動する方式でこのコンピュータネットワーク環境中の目標コンピュータ装置とする任意のその他のコンピュータ装置に移動させる（ステップ２０７）。その後、該コンピュータ物件選択及び伝送ペン４により先にソースコンピュータ装置１より選択したコンピュータ物件の物件識別コードＯＢＪ ＩＤをコンピュータ物件選択及び伝送ペン４のペン識別コードＰＥＮ ＩＤと共に該目標コンピュータ装置２に伝送する（ステップ２０８）。
【００４１】
該目標コンピュータ装置２が該コンピュータ物件選択及び伝送ペン４の伝送したペン識別コードを受け取りコンピュータ物件選択及び伝送ペンを認識した後、装置識別コードＤＥＶ ＩＤと共にサーバー５に伝送（ステップ２０９）する。その後、該サーバー５が物件識別コードによりソースコンピュータ装置中の物件識別コードに対応するコンピュータ物件をサーチ（ステップ２１０）し、並びに確認ステップの後、そのコンピュータ物件であるか否かを確定し、物件の伝送を行なうか否かを確認（ステップ２１１）する。
【００４２】
エラー無しと確認した後、サーバー５がネットワークインタフェースを通してソースコンピュータ装置１中の物件識別コードに対応するコンピュータ物件を該目標コンピュータ装置２中に伝送する（ステップ２１２）。
【００４３】
以上の本発明の実施例から分かるように、本発明は実用的な複数のコンピュータ間でコンピュータの選択及び伝送を行なう方法及び装置を提供している。但し以上の実施例の説明は本発明の範囲を限定するものではなく、本発明に基づきなしうる細部の修飾或いは改変は、いずれも本発明の請求範囲に属するものとする。
【図面の簡単な説明】
【００４４】
【図１】本発明の少なくとも二部のコンピュータ装置がネットワークインタフェースを通して構成するコンピュータネットワーク環境のシステム接続表示図である。
【図２】図１中のネットワークインタフェースの第１実施例表示図であり、二部のコンピュータ装置が有線式ネットワークインタフェースを通して構成するコンピュータネットワーク環境を示す。
【図３】図１中のネットワークインタフェースの第２実施例表示図であり、二部のコンピュータ装置が無線式ネットワークインタフェースを通して構成する無線式のコンピュータネットワーク環境を示す。
【図４】本発明中に使用されているコンピュータ物件選択及び伝送ペンの回路機能ブロック図である。
【図５】本発明の操作フローチャートである。
【図６】本発明中、ペン識別コードＰＥＮ ＩＤ、物件識別コードＯＢＪ ＩＤ及び装置識別コードＤＥＶ ＩＤの三者間の管理表である。
【図７】図１中のネットワークインタフェースの第３実施例表示図である。
【図８】図１中のネットワークインタフェースの第４実施例表示図である。
【図９】本発明のサーバーが組み合わされたコンピュータネットワーク環境の操作フローチャートである。
【符号の説明】
【００４５】
１  コンピュータ装置
２  コンピュータ装置
１１  ディスプレイ
２１  ディスプレイ
３  ネットワークインタフェース
３１  有線式ネットワークインタフェース
３２  有線式ネットワークインタフェース
３３  接続線
３４  無線式ネットワークインタフェース
３５  無線式ネットワークインタフェース
３６  接続線
３７  接続線
４  コンピュータ物件選択及び伝送ペン
４０  マイクロプロセッサ
４１  クリックキー
４２  機能キー
４３  電池
４４  時間ベース信号発生ユニット
４５  ＲＯＭ
４６  ＲＡＭ
４７１  ペン識別コード保存ユニット
４７２  物件識別コード保存ユニット
４７３  装置識別コード保存ユニット
４８  信号伝送／受信ユニット
５  サーバー
５１  有線式ネットワークインタフェース
５２  ディスプレイ
５３  無線式ネットワークインタフェース
【図１】
2006004398.tif 000003
【図２】
2006004398.tif 000004
【図３】
2006004398.tif 000005
【図４】
2006004398.tif 000006
【図５】
2006004398.tif 000007
【図６】
2006004398.tif 000008
【図７】
2006004398.tif 000009
【図８】
2006004398.tif 000010
【図９】
2006004398.tif 000011